(57)【要約】【課題】回路をオン・オフさせるスイッチ部の劣化が抑制された信頼性の高い電源回路遮断装置を提供すること。【解決手段】メインスイッチ部ＭＳｗは、第１コネクタハウジング１０に設けられ、互いに押し付けられて接触して導通する一対の導電性金属材料からなる端子１３と、第２コネクタハウジング２０に設けられ、本嵌合状態で端子１３間から外れた位置に配置され、本嵌合状態から離脱状態となることで一対の端子１３間に挿し込まれて端子１３間に介在される絶縁性樹脂材料からなる遮蔽板部２７と、を備える。【選択図】図２
2020167034.tif 000002
【特許請求の範囲】
【請求項１】
第１コネクタハウジングと、
前記第１コネクタハウジングに組付けられ、前記第１コネクタハウジングに対して完全嵌合された本嵌合状態及び前記第１コネクタハウジングに対して離脱された離脱状態に変位可能な第２コネクタハウジングと、
前記第１コネクタハウジングに対する前記第２コネクタハウジングの本嵌合状態及び離脱状態の変位によってオン・オフされるスイッチ部と、
を備えた電源回路遮断装置であって、
前記スイッチ部は、
前記第１コネクタハウジングに設けられ、互いに押し付けられて接触して導通する一対の導電性金属材料からなる端子と、
前記第２コネクタハウジングに設けられ、前記本嵌合状態で一対の前記端子間から外れた位置に配置され、前記本嵌合状態から前記離脱状態となることで一対の前記端子間に挿し込まれて前記端子間に介在される絶縁性樹脂材料からなる遮蔽板部と、
を備える
ことを特徴とする電源回路遮断装置。
【請求項２】
前記スイッチ部は、少なくとも一方の前記端子に、他方の前記端子側へ張り出して接触する弾性変形可能な接触片を有する
ことを特徴とする請求項１に記載の電源回路遮断装置。
【請求項３】
前記本嵌合状態において前記スイッチ部とともにオン状態とされ、前記第１コネクタハウジングに対して前記第２コネクタハウジングが離脱方向へ変位する途中で前記スイッチ部がオン状態に維持される仮嵌合状態においてオフ状態とされて前記スイッチ部の回路の通電を遮断するサブスイッチ部を備える
ことを特徴とする請求項１または請求項２に記載の電源回路遮断装置。
【請求項４】
前記第２コネクタハウジングは、
回動可能に支持されたレバーを備え、
前記レバーが回動されることで、前記第１コネクタハウジングに対する嵌合力及び離脱力が付与される
ことを特徴とする請求項１〜３のいずれか一項に記載の電源回路遮断装置。
【発明の詳細な説明】
【技術分野】
【０００１】
本発明は、電源回路遮断装置に関する。
【背景技術】
【０００２】
例えば、電気自動車やハイブリッド車等の車両には、電気系統のメンテナンス等での作業安全性を確保するために、電源と負荷との間の通電を遮断するサービスプラグといわれる電源回路遮断装置が設けられる。
この種の電源回路遮断装置は、第１ハウジングと、第１ハウジングに対して着脱される第２ハウジングとを備え、例えば第１ハウジングに設けられた雌端子と第２ハウジングに設けられた雄端子とから電源スイッチが構成されたものがある（例えば、特許文献１参照）。
【０００３】
この電源回路遮断装置では、第１ハウジングに対して第２ハウジングが着脱されることで、雌端子に対して雄端子が挿抜され、電源スイッチがオン・オフされる。
【先行技術文献】
【特許文献】
【０００４】
【特許文献１】特開２０１２−２４３５５９号公報
【発明の概要】
【発明が解決しようとする課題】
【０００５】
ところで、上記の電源回路遮断装置では、第１ハウジングに対して第２ハウジングが着脱されるたびに雌端子に対して雄端子が挿抜されて接点部同士が摺動する。このため、第１ハウジングに対する第２ハウジングの着脱操作が繰り返されると、雌端子と雄端子との互いに摺動する接点部の表面が削れるおそれがある。また、互いの端子の表面に施したメッキが削れて下地部分が露出し、この露出部分が酸化して電気抵抗が増加し、信頼性が低下するおそれがある。
【０００６】
本発明は、上述した事情に鑑みてなされたものであり、その目的は、回路をオン・オフさせるスイッチ部の劣化が抑制された信頼性の高い電源回路遮断装置を提供することにある。
【課題を解決するための手段】
【０００７】
本発明の上記目的は、下記構成により達成される。
（１）  第１コネクタハウジングと、
前記第１コネクタハウジングに組付けられ、前記第１コネクタハウジングに対して完全嵌合された本嵌合状態及び前記第１コネクタハウジングに対して離脱された離脱状態に変位可能な第２コネクタハウジングと、
前記第１コネクタハウジングに対する前記第２コネクタハウジングの本嵌合状態及び離脱状態の変位によってオン・オフされるスイッチ部と、
を備えた電源回路遮断装置であって、
前記スイッチ部は、
前記第１コネクタハウジングに設けられ、互いに押し付けられて接触して導通する一対の導電性金属材料からなる端子と、
前記第２コネクタハウジングに設けられ、前記本嵌合状態で一対の前記端子間から外れた位置に配置され、前記本嵌合状態から前記離脱状態となることで一対の前記端子間に挿し込まれて前記端子間に介在される絶縁性樹脂材料からなる遮蔽板部と、
を備える
ことを特徴とする電源回路遮断装置。
【０００８】
上記（１）の構成の電源回路遮断装置によれば、第１コネクタハウジングに対して第２コネクタハウジングが嵌合及び離脱することで、スイッチ部の互いに接触した端子間に遮蔽板部が挿抜されてスイッチ部がオン・オフされる。端子間に挿抜される遮蔽板部は、導電性金属材料からなる端子よりも硬度が低い絶縁性樹脂材料であるので、端子と摺動する際の端子へのダメージを極力抑えることができる。これにより、導電性金属材料の端子同士が摺動する場合と比べ、端子の表面の削れを抑制することができ、削れた金属粉の発生を抑えることができる。特に、端子の表面にメッキ処理が施された場合では、そのメッキが剥がれて露出した下地が酸化して電気抵抗が増加するなどの不具合を抑えることができる。したがって、回路をオン・オフさせるスイッチ部の劣化を抑制して高い信頼性を維持することができる。
【０００９】
（２）  前記スイッチ部は、少なくとも一方の前記端子に、他方の前記端子側へ張り出して接触する弾性変形可能な接触片を有する
ことを特徴とする上記（１）に記載の電源回路遮断装置。
【００１０】
上記（２）の構成の電源回路遮断装置によれば、端子間に遮蔽板部が挿抜される際に接触片が弾性変形するので、端子間への遮蔽板部の挿抜を円滑に行わせることができる。また、遮蔽板部が端子間から抜かれた際に、接触片が弾性力によって相手側の端子に押し付けられて良好な導通状態を得ることができる。
【００１１】
（３）  前記本嵌合状態において前記スイッチ部とともにオン状態とされ、前記第１コネクタハウジングに対して前記第２コネクタハウジングが離脱方向へ変位する途中で前記スイッチ部がオン状態に維持される仮嵌合状態においてオフ状態とされて前記スイッチ部の回路の通電を遮断するサブスイッチ部を備える
ことを特徴とする上記（１）または（２）に記載の電源回路遮断装置。
【００１２】
上記（３）の構成の電源回路遮断装置によれば、第２コネクタハウジングが本嵌合状態から仮嵌合状態とされるとき、サブスイッチ部がオフ状態とされて回路の通電が遮断されたスイッチ部はオン状態に維持される。したがって、サブスイッチ部に対してスイッチ部がオフ状態とされるタイミングを遅らせることで、回路の残留電流によるアークやスパーク等の発生を抑制することができる。
【００１３】
（４）  前記第２コネクタハウジングは、
回動可能に支持されたレバーを備え、
前記レバーが回動されることで、前記第１コネクタハウジングに対する嵌合力及び離脱力が付与される
ことを特徴とする上記（１）〜（３）のいずれか一つに記載の電源回路遮断装置。
【００１４】
上記（４）の構成の電源回路遮断装置によれば、レバーを回動させることで、第１コネクタハウジングに対する第２コネクタハウジングの嵌合及び離脱を小さな操作力で容易に行うことができる。これにより、より操作性に優れた電源遮断回路装置を提供できる。
【発明の効果】
【００１５】
本発明によれば、回路をオン・オフさせるスイッチ部の劣化が抑制された信頼性の高い電源回路遮断装置を提供できる。
【００１６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１７】
【図１】本発明の一実施形態に係る電源回路遮断装置の離脱状態における斜視図である。
【図２】本実施形態に係る電源回路遮断装置の離脱状態における上下方向に沿う断面図である。
【図３】本実施形態に係る電源回路遮断装置の本嵌合状態を示す図であって、図３の（ａ）は斜視図、図３の（ｂ）は上下方向に沿う断面図である。
【図４】本実施形態に係る電源回路遮断装置の仮嵌合状態を示す図であって、図４の（ａ）は斜視図、図４の（ｂ）は上下方向に沿う断面図である。
【図５】電源回路遮断装置の構成を説明する図であって、図５の（ａ）は第１コネクタハウジング及び第２コネクタハウジングの上下方向に沿う断面図、図５の（ｂ）は図５の（ａ）におけるＡ−Ａ断面図である。
【図６】電源回路遮断装置を構成する第１コネクタハウジングの分解斜視図である。
【図７】サブスイッチ部を説明する図であって、図７の（ａ）は電源回路遮断装置の側面図、図７の（ｂ）は図７の（ａ）におけるＢ−Ｂ断面図である。
【図８】電源回路遮断装置を構成する第２コネクタハウジングの分解斜視図である。
【図９】メインスイッチ部の参考例を示す図であって、図９の（ａ）及び図９の（ｂ）はそれぞれ仮嵌合状態及び本嵌合状態を示す断面図である。
【発明を実施するための形態】
【００１８】
以下、本発明に係る実施の形態の例を、図面を参照して説明する。
図１は、本発明の一実施形態に係る電源回路遮断装置１の離脱状態における斜視図である。図２は、本実施形態に係る電源回路遮断装置１の離脱状態における上下方向に沿う断面図である。図３は、本実施形態に係る電源回路遮断装置１の本嵌合状態を示す図であって、図３の（ａ）は斜視図、図３の（ｂ）は上下方向に沿う断面図である。図４は、本実施形態に係る電源回路遮断装置１の仮嵌合状態を示す図であって、図４の（ａ）は斜視図、図４の（ｂ）は上下方向に沿う断面図である。
【００１９】
図１〜図４に示すように、本実施形態に係る電源回路遮断装置１は、第１コネクタハウジング１０と、第２コネクタハウジング２０とを備えている。第２コネクタハウジング２０は、第１コネクタハウジング１０に対して嵌合及び離脱される。第２コネクタハウジング２０は、レバー３０を備えている。レバー３０は、第２コネクタハウジング２０に対して回動可能に設けられており、このレバー３０を回動させることで、第２コネクタハウジング２０と第１コネクタハウジング１０との間に嵌合力及び離脱力を付与する。
【００２０】
本実施形態の電源回路遮断装置１は、例えば、電気自動車やハイブリッド車などの車両において、電気系統のメンテナンス等での作業安全性を確保するため、電源部と負荷間の通電を遮断する、いわゆるサービスプラグである。具体的には、第１コネクタハウジング１０に対して第２コネクタハウジング２０が嵌合されることで、電源部と負荷間が通電可能とされ、第１コネクタハウジング１０から第２コネクタハウジング２０が離脱されることで、電源部と負荷間の通電が遮断される。
【００２１】
図５は、電源回路遮断装置１の構成を説明する図であって、図５の（ａ）は第１コネクタハウジング１０及び第２コネクタハウジング２０の上下方向に沿う断面図、図５の（ｂ）は図５の（ａ）におけるＡ−Ａ断面図である。図６は電源回路遮断装置１を構成する第１コネクタハウジング１０の分解斜視図である。図７はサブスイッチ部ＳＳｗを説明する図であって、図７の（ａ）は電源回路遮断装置１の側面図、図７の（ｂ）は図７の（ａ）におけるＢ−Ｂ断面図である。図８は電源回路遮断装置１を構成する第２コネクタハウジング２０の分解斜視図である。
【００２２】
図５の（ａ）及び図６に示すように、第１コネクタハウジング１０は、外周へ張り出すフランジ部１０ａを有しており、このフランジ部１０ａをケースに固定することで電源装置等に取り付けられる。第１コネクタハウジング１０は、電気絶縁性を有する合成樹脂から成形されている。第１コネクタハウジング１０は、上面が開放された収容筒部１２を有している。収容筒部１２は、平面視長方形状の角筒状に形成されている。収容筒部１２には、その両側面に、一対のカムピン１１が突設されている。また、収容筒部１２の一端寄りには、側方へ突出する一対のメインロック爪１９が形成されている。
【００２３】
第１コネクタハウジング１０の収容筒部１２の内部には、一対の端子１３が収容されている。端子１３は、例えば、銅または銅合金等の導電性金属材料から形成されたバスバーからなるもので、この端子１３には、例えば、錫メッキ等の表面処理が施されている。これらの端子１３は、電線接続部１４を有しており、この電線接続部１４には、電源装置等からの電源線２が接続されている。また、それぞれの端子１３は、互いの近接側に接触片１５を有している。接触片１５は、バスバーの一端側を折り返すことで、他方の端子１３側へ張り出して弾性変形可能に接触するように形成されている。更に、これらの接触片１５には、互いに対向方向へ突出する接点部１６が形成されている。これらの端子１３は、第１コネクタハウジング１０の収容筒部１２内に組付けられ、接点部１６が接触片１５の弾性力によって互いに押し付けられた状態に接触させられる。これにより、各端子１３に接続された電源線２同士がこれら端子１３を介して電気的に接続される。
【００２４】
また、図７に示すように、第１コネクタハウジング１０は、収容筒部１２の外部におけるフランジ部１０ａに端子台１７が形成されている。この端子台１７には、サブスイッチ部ＳＳｗを構成する一対のサブ端子１８が設けられている。これらのサブ端子１８には、信号線３が接続されており、サブ端子１８は、端子台１７に対して第１コネクタハウジング１０の下方側から挿し込まれて装着されている。
【００２５】
図５の（ａ），（ｂ）及び図８の（ａ），（ｂ）に示すように、第２コネクタハウジング２０は、嵌合筒部２２を有している。第２コネクタハウジング２０は、電気絶縁性を有する合成樹脂から成形されている。嵌合筒部２２は、第１コネクタハウジング１０側が開口した箱型に形成されており、第１コネクタハウジング１０の収容筒部１２内に嵌合される。レバー３０は、嵌合筒部２２に組付けられる。嵌合筒部２２には、その両側面に一対の支持軸２３が突設されている。嵌合筒部２２の一端側における上縁部には、一対のサブロック突起２５が形成されている。
【００２６】
第２コネクタハウジング２０の嵌合筒部２２には、その内部に、遮蔽板部２７が形成されている。この遮蔽板部２７は、嵌合筒部２２の下部における長手方向の略中央に形成されている。遮蔽板部２７は、第１コネクタハウジング１０の収容筒部１２に対する嵌合筒部２２の着脱方向に沿う板状に形成されており、幅方向に架け渡されるように一体に成形されている。この遮蔽板部２７は、第１コネクタハウジング１０の収容筒部１２に対して第２コネクタハウジング２０の嵌合筒部２２が嵌合及び離脱されることで、一対の端子１３の接触片１５間に抜き挿しされる。そして、遮蔽板部２７が一対の端子１３の接触片１５間から抜き出されると、一対の接触片１５の接点部１６同士が接触して端子１３同士が導通され、遮蔽板部２７が一対の端子１３の接触片１５間に挿し込まれると、一対の接触片１５の接点部１６同士の間に遮蔽板部２７が介在し、端子１３同士の導通が解除される。
【００２７】
レバー３０は、合成樹脂から成形されたもので、一対のアーム部３１と、連結部３２とを有している。アーム部３１は、一端側が連結部３２によって連結されている。アーム部３１は、軸受孔３４を有しており、軸受孔３４には、第２コネクタハウジング２０の一対の支持軸２３が挿入される。これにより、レバー３０は、第２コネクタハウジング２０に対して回動可能に支持される。
【００２８】
レバー３０の一対のアーム部３１には、カム溝３５がそれぞれ形成されている。カム溝３５には、第１コネクタハウジング１０の収容筒部１２に第２コネクタハウジング２０の嵌合筒部２２を嵌め込んだ状態で、第１コネクタハウジング１０のカムピン１１が挿入される。これにより、レバー３０が第１コネクタハウジング１０に係合され、第２コネクタハウジング２０が第１コネクタハウジング１０に分離することなく組付けられた状態とされる。カム溝３５は、軸受孔３４から離れた離間位置３５ａと、軸受孔３４に近接した近接位置３５ｂとを繋ぐように屈曲する形状に形成されている。
【００２９】
レバー３０は、カム溝３５内をカムピン１１が移動しつつ離脱操作位置（図１及び図２に示す位置）と本嵌合操作位置（図３の（ａ），（ｂ）に示す位置）との間を回転する。離脱操作位置では、カム溝３５の離間位置３５ａにカムピン１１が配置される。本嵌合操作位置では、カム溝３５の近接位置３５ｂにカムピン１１が配置される。
【００３０】
そして、第１コネクタハウジング１０と第２コネクタハウジング２０との間には、レバー３０が離脱操作位置から本嵌合操作位置へ回動されることで嵌合方向に向かう嵌合力が付与され、レバー３０が本嵌合操作位置から離脱操作位置へ回動されることで離脱方向に向かう離脱力が付与される。
【００３１】
レバー３０のアーム部３１には、連結部３２の近傍部分に、メインロック段部３６が形成されている（図８参照）。これらのメインロック段部３６には、第２コネクタハウジング２０の嵌合筒部２２に形成されたメインロック爪１９が係合する。そして、このメインロック爪１９とメインロック段部３６とから、メインロック部ＭＲが構成されている（図７参照）。このメインロック部ＭＲは、レバー３０が本嵌合操作位置に配置された状態でメインロック段部３６にメインロック爪１９が係合して第１コネクタハウジング１０に対してレバー３０をロックし、レバー３０の回動を規制する。
【００３２】
これにより、第１コネクタハウジング１０に対して第２コネクタハウジング２０を完全嵌合した状態でロックする。そして、電源回路遮断装置１は、レバー３０が本嵌合操作位置に配置されて第１コネクタハウジング１０と第２コネクタハウジング２０とが完全嵌合してメインロック部ＭＲでロックされた状態が本嵌合状態とされる。
また、本実施形態の電源回路遮断装置１は、レバー３０が離脱操作位置に配置されて第１コネクタハウジング１０の収容筒部１２から第２コネクタハウジング２０の嵌合筒部２２が一部を残して抜き出された状態が離脱状態とされる。
【００３３】
レバー３０の連結部３２には、第２コネクタハウジング２０の嵌合筒部２２に形成されたサブロック突起２５に係止可能な係止縁部４２ａを有するサブロック板部４２が形成されている。そして、このサブロック突起２５とサブロック板部４２とから、サブロック部ＳＲが構成されている（図３参照）。
このサブロックＳＲは、レバー３０は本嵌合操作位置から離脱操作位置へ向かう回動途中にサブロック板部４２の係止縁部４２ａがサブロック突起２５を係止し、レバー３０の回動を規制する。これにより、第１コネクタハウジング１０に対して第２コネクタハウジング２０を仮嵌合した状態でロックする。レバー３０は、本嵌合操作位置から離脱操作位置へ向かう回動途中にロックされる位置が仮嵌合操作位置とされる。そして、電源回路遮断装置１は、レバー３０が仮嵌合操作位置でロックされて、第１コネクタハウジング１０と第２コネクタハウジング２０とが仮嵌合とされた状態が仮嵌合状態とされる。この仮嵌合状態において、サブロック板部４２を押圧して弾性変形させることで、サブロック突起２５に対する係止縁部４２ａの係止が解除され、再び離脱操作位置へ向かう回動が可能とされる。
【００３４】
また、レバー３０の連結部３２には、バスバー保持部４５が形成されており、このバスバー保持部４５には、ショート端子４６が設けられている。このショート端子４６は、一対のタブ部４７を有している。このショート端子４６のタブ部４７は、第１コネクタハウジング１０のサブ端子１８に接続可能とされている。このショート端子４６のタブ部４７がサブ端子１８に接続されると、サブ端子１８に接続された信号線３同士がショート端子４６を介して電気的に接続される。
【００３５】
本実施形態に係る上記電源回路遮断装置１は、一対の端子１３と遮蔽板部２７とからなるメインスイッチ部ＭＳｗと、サブ端子１８とショート端子４６とからなるサブスイッチ部ＳＳｗとを備えている。
【００３６】
本実施形態の電源回路遮断装置１を備えた電源装置等では、メインスイッチ部ＭＳｗがオン状態とされて電源線２同士が電気的に接続されることで電源回路が形成され、サブスイッチ部ＳＳｗがオン状態とされて信号線３同士が電気的に接続されることで信号回路が形成される。そして、電源回路遮断装置１を備えた電源装置等では、メインスイッチ部ＭＳｗがオン状態となって電源回路が形成されたとしても、サブスイッチ部ＳＳｗがオン状態となって信号回路が形成されない限り電源回路を導通状態としないように構成されている。つまり、メインスイッチ部ＭＳｗとサブスイッチ部ＳＳｗが共にオン状態となって初めて電源回路を導通状態とすることができる。
【００３７】
上記構成の電源回路遮断装置１では、メインスイッチ部ＭＳｗは、レバー３０が本嵌合操作位置に配置された本嵌合状態（図３の（ａ），（ｂ）に示す状態）及びレバー３０が仮嵌合操作位置に配置された仮嵌合状態（図４の（ａ），（ｂ）に示す状態）でオン状態とされ、レバー３０が離脱操作位置に配置された離脱状態（図１及び図２に示す状態）でオフ状態とされる。
【００３８】
また、サブスイッチ部ＳＳｗは、レバー３０が本嵌合操作位置に配置された本嵌合状態（図３の（ａ），（ｂ）に示す状態）でオン状態とされ、レバー３０が仮嵌合操作位置に配置された仮嵌合状態（図４の（ａ），（ｂ）に示す状態）及びレバー３０が離脱操作位置に配置された離脱状態（図１及び図２に示す状態）でオフ状態とされる。
【００３９】
次に、本実施形態に係る電源回路遮断装置１において、第１コネクタハウジング１０に対して第２コネクタハウジング２０を嵌合及び離脱させる場合について説明する。
【００４０】
（嵌合させる場合）
第１コネクタハウジング１０に第２コネクタハウジング２０を嵌合させるには、離脱操作位置（図１及び図２参照）のレバー３０を本嵌合操作位置へ向かって回動させる。すると、カムピン１１がカム溝３５に沿って離間位置３５ａから近接位置３５ｂへ移動し、離脱状態の第１コネクタハウジング１０の収容筒部１２と第２コネクタハウジング２０の嵌合筒部２２との間に嵌合力が付与される。これにより、第２コネクタハウジング２０の嵌合筒部２２が第１コネクタハウジング１０の収容筒部１２に引き込まれて本嵌合状態とされる（図３参照）。
【００４１】
離脱状態から本嵌合状態とされることで、一対の端子１３の接触片１５同士の間に介在されていた遮蔽板部２７が接触片１５同士の間から抜け出され、一対の接触片１５の接点部１６同士が接触して端子１３同士が導通される。つまり、メインスイッチ部ＭＳｗがオン状態となり、一対の端子１３にそれぞれ接続された電源線２同士が端子１３を介して電気的に接続される。また、ショート端子４６のタブ部４７がサブ端子１８に接続される。つまり、サブスイッチ部ＳＳｗがオン状態となり、サブ端子１８に接続された信号線３同士がショート端子４６を介して電気的に接続される。
【００４２】
また、離脱状態から本嵌合状態とされることで、メインロック部ＭＲは、レバー３０のメインロック段部３６が嵌合筒部２２のメインロック爪１９に係合する。これにより、レバー３０が本嵌合操作位置に配置された状態でロックされ、レバー３０の回動が規制される。このように、本嵌合状態では、メインロック部ＭＲがレバー３０の回動を規制することで、第１コネクタハウジング１０と第２コネクタハウジング２０とが完全嵌合した状態でロックされ、本嵌合状態が維持される。
【００４３】
（離脱させる場合）
第１コネクタハウジング１０から第２コネクタハウジング２０を離脱させるには、本嵌合操作位置（図３の（ａ），（ｂ）参照）に配置されたレバー３０の連結部３２を把持して引き上げる。すると、レバー３０のメインロック段部３６が第２コネクタハウジング２０のメインロック爪１９から外れ、本嵌合状態を維持するメインロック部ＭＲによるレバー３０のロックが解除され、レバー３０が回動可能となる。
【００４４】
回動可能となったレバー３０を離脱操作位置へ向かって回動させる。すると、レバー３０の回動に伴って、カムピン１１がカム溝３５に沿って近接位置３５ｂから離間位置３５ａへ向かって移動し、第１コネクタハウジング１０と第２コネクタハウジング２０との間に離脱力が付与され、第１コネクタハウジング１０に対して本嵌合状態とされていた第２コネクタハウジング２０が第１コネクタハウジング１０から離脱する方向へ変位する。
【００４５】
回動させているレバー３０が仮嵌合操作位置に達すると、サブロック部ＳＲを構成するサブロック板部４２の係止縁部４２ａが第２コネクタハウジング２０の嵌合筒部２２のサブロック突起２５を係止することで、レバー３０が仮嵌合操作位置でロックされて回動が規制される（図４の（ａ），（ｂ）参照）。これにより、第１コネクタハウジング１０と第２コネクタハウジング２０とが仮嵌合状態とされる。
【００４６】
仮嵌合状態とされると、サブ端子１８からショート端子４６のタブ部４７が引き抜かれる。つまり、サブスイッチ部ＳＳｗがオフ状態とされ、信号線３同士の電気的接続が解除される。
【００４７】
なお、仮嵌合状態では、一対の接触片１５の接点部１６は、継続して互いに接触した状態とされて端子１３同士が導通される。つまり、メインスイッチ部ＭＳｗは継続してオン状態となり、一対の端子１３にそれぞれ接続された電源線２同士が端子１３を介して電気的に接続される。
【００４８】
この仮嵌合状態からサブロック部ＳＲのサブロック板部４２を押圧し、サブロック部ＳＲによるロックを解除する。そして、回動可能となったレバー３０を再び離脱操作位置へ向かって回動させる。すると、レバー３０の回動によって第１コネクタハウジング１０と第２コネクタハウジング２０との間に再び離脱力が付与され、第１コネクタハウジング１０の収容筒部１２から第２コネクタハウジング２０の嵌合筒部２２が引き抜かれ、第１コネクタハウジング１０と第２コネクタハウジング２０とが離脱状態とされる（図１及び図２参照）。
【００４９】
このように、仮嵌合状態から第１コネクタハウジング１０に対して第２コネクタハウジング２０が離脱する方向へ変位して離脱状態となると、一対の端子１３の接触片１５同士の間に遮蔽板部２７が挿し込まれる。すると、一対の接触片１５の接点部１６同士の間に電気絶縁材料からなる遮蔽板部２７が介在され、端子１３同士の導通が解除される。これにより、メインスイッチ部ＭＳｗがオフ状態とされ、電源線２同士の電気的接続状態が解除される。
【００５０】
上記の電源回路遮断装置１では、メインスイッチ部ＭＳｗは、メインロック部ＭＲでロックされた本嵌合状態及びサブロック部ＳＲでロックされた仮嵌合状態でオン状態とされ、サブスイッチ部ＳＳｗは、メインロック部ＭＲでロックされた本嵌合状態でオン状態とされ、サブロック部ＳＲでロックされた仮嵌合状態でオフ状態とされる。したがって、サブスイッチ部ＳＳｗがオフ状態とされて信号線３同士の電気的接続状態が解除された後、サブロック部ＳＲによるロックを解除しないとメインスイッチ部ＭＳｗをオフ状態として電源線２同士の電気的接続状態を解除することができない。これにより、信号線３同士の接続解除直後に電源線２同士の接続が解除されることで生じる残留電流によるアークやスパーク等の発生を抑制することができる。
【００５１】
ここで、他の構造のメインスイッチ部を有する参考例について説明する。
図９は、メインスイッチ部の参考例を示す図であって、図９の（ａ）及び図９の（ｂ）はそれぞれ仮嵌合状態及び本嵌合状態を示す断面図である。
【００５２】
図９の（ａ），（ｂ）に示すように、参考例に係るメインスイッチ部は、一対の第１端子１０１と、第２端子１０２とを有しており、一対の第１端子１０１に電源線２がそれぞれ接続される。第１端子１０１は、板状の雄端子部１０３を有しており、それぞれの雄端子部１０３は、電気絶縁性を有する合成樹脂からなる絶縁板部１０４を挟んで配置されている。第２端子１０２は、一対の接触片１０５を有する側面視略Ｕ字状に形成されている。第２端子１０２の一対の接触片１０５の間には、第１端子１０１の一対の雄端子部１０３が挿し込まれる。
【００５３】
図９の（ｂ）に示すように、参考例では、第２端子１０２の一対の接触片１０５間に一対の第１端子１０１の雄端子部１０３がそれぞれ挿し込まれると、第１端子１０１同士が第２端子１０２によって導通されてオン状態となる。また、図９の（ａ）に示すように、第２端子１０２の一対の接触片１０５間から一対の第１端子１０１の雄端子部１０３がそれぞれ抜き出されると、一対の第１端子１０１同士の導通状態が解除されてオフ状態となる。
【００５４】
図９に示した参考例では、一対の第２端子１０２の接触片１０５同士の間に一対の第１端子１０１の雄端子部１０３がそれぞれ挿抜されてオン・オフされるたびに、第２端子１０２の接触片１０５が第１端子１０１の雄端子部１０３に摺動する。このため、オン・オフが繰り返されると、雄端子部１０３と接触片１０５との互いに摺動する接触部分において削れが生じる。特に、表面に形成したメッキが削れて下地部分が露出してしまうと、この露出部分が酸化して電気抵抗が増加し、信頼性が低下するおそれがある。
【００５５】
これに対して、本実施形態に係る電源回路遮断装置１によれば、第１コネクタハウジング１０に対して第２コネクタハウジング２０が嵌合及び離脱することで、メインスイッチ部ＭＳｗの互いに接触した一対の端子１３間に遮蔽板部２７が挿抜されてメインスイッチ部ＭＳｗがオン・オフされる。一対の端子１３間に挿抜される遮蔽板部２７は、導電性金属材料からなる端子１３よりも硬度が低い絶縁性樹脂材料であるので、端子１３の接触片１５の接点部１６と摺動する際の端子１３へのダメージを極力抑えることができる。これにより、導電性金属材料の端子同士が摺動する場合と比べ、端子１３の表面の削れを抑制することができ、削れた金属粉の発生を抑えることができる。特に、端子１３の表面にメッキ処理を施した場合では、そのメッキが剥がれて露出した下地が酸化して電気抵抗が増加するなどの不具合を抑えることができる。したがって、電源回路をオン・オフさせるメインスイッチ部ＭＳｗの劣化を抑制して高い信頼性を維持させることができる。
【００５６】
また、本実施形態に係る電源回路遮断装置１は、レバー３０のカム溝３５に第１コネクタハウジング１０の収容筒部１２のカムピン１１が係合しているので、例えば、メンテナンス時に第１コネクタハウジング１０から第２コネクタハウジング２０が分離することがない。したがって、メンテナンスを円滑に行うことができる。
【００５７】
また、本実施形態に係る電源回路遮断装置１によれば、一対の端子１３間に遮蔽板部２７が挿抜される際に接触片１５が弾性変形するので、端子１３間への遮蔽板部２７の挿抜を円滑に行わせることができる。また、遮蔽板部２７が一対の端子１３間から抜かれた際に、接触片１５が弾性力によって互いに押し付けられて良好な導通状態を得ることができる。
【００５８】
しかも、本実施形態に係る電源回路遮断装置１によれば、第２コネクタハウジング２０が本嵌合状態から仮嵌合状態とされるとき、サブスイッチ部ＳＳｗがオフ状態とされて電源回路の通電が遮断されたメインスイッチ部ＭＳｗはオン状態に維持される。したがって、サブスイッチ部ＳＳｗに対してメインスイッチ部ＭＳｗがオフ状態とされるタイミングを遅らせることで、電源回路の残留電流によるアークやスパーク等の発生を抑制することができる。
【００５９】
また、本実施形態に係る電源回路遮断装置１によれば、レバー３０を回動させることで、第１コネクタハウジング１０に対する第２コネクタハウジング２０の嵌合及び離脱を小さな操作力で容易に行うことができる。これにより、より操作性に優れた電源遮断回路装置を提供できる。
【００６０】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６１】
例えば、上記実施形態では、回動されることで第２コネクタハウジング２０と第１コネクタハウジング１０との間に嵌合力及び離脱力を付与するレバー３０を設けたが、レバー３０は必ずしも設けなくてよい。
【００６２】
なお、上記実施形態では、一対の端子１３のそれぞれに接触片１５を設けたが、一方の端子１３だけに他方の端子１３に弾性的に接触する接触片１５を設けてもよい。
【００６３】
また、上記実施形態では、第２コネクタハウジング２０に遮蔽板部２７を一体成形した場合を例示したが、絶縁性樹脂材料から形成した別体の遮蔽板部２７を第２コネクタハウジング２０に組み付けてもよい。
【００６４】
ここで、上述した本発明に係る電源回路遮断装置の実施形態の特徴をそれぞれ以下［１］〜［４］に簡潔に纏めて列記する。
［１］  第１コネクタハウジング（１０）と、
前記第１コネクタハウジング（１０）に組付けられ、前記第１コネクタハウジング（１０）に対して完全嵌合された本嵌合状態及び前記第１コネクタハウジング（１０）に対して離脱された離脱状態に変位可能な第２コネクタハウジング（２０）と、
前記第１コネクタハウジング（１０）に対する前記第２コネクタハウジング（２０）の本嵌合状態及び離脱状態の変位によってオン・オフされるスイッチ部（メインスイッチ部ＭＳｗ）と、
を備えた電源回路遮断装置（１）であって、
前記スイッチ部（メインスイッチ部ＭＳｗ）は、
前記第１コネクタハウジング（１０）に設けられ、互いに押し付けられて接触して導通する一対の導電性金属材料からなる端子（１３）と、
前記第２コネクタハウジング（２０）に設けられ、前記本嵌合状態で一対の前記端子（１３）間から外れた位置に配置され、前記本嵌合状態から前記離脱状態となることで一対の前記端子（端子１３）間に挿し込まれて前記端子（１３）間に介在される絶縁性樹脂材料からなる遮蔽板部（２７）と、
を備える
ことを特徴とする電源回路遮断装置（１）。
［２］  前記スイッチ部（メインスイッチ部ＭＳｗ）は、少なくとも一方の前記端子（１３）に、他方の前記端子（１３）側へ張り出して接触する弾性変形可能な接触片（１５）を有する
ことを特徴とする上記［１］に記載の電源回路遮断装置（１）。
［３］  前記本嵌合状態において前記スイッチ部（メインスイッチ部ＭＳｗ）とともにオン状態とされ、前記第１コネクタハウジング（１０）に対して前記第２コネクタハウジング（２０）が離脱方向へ変位する途中で前記スイッチ部（メインスイッチ部ＭＳｗ）がオン状態に維持される仮嵌合状態においてオフ状態とされて前記スイッチ部（メインスイッチ部ＭＳｗ）の回路の通電を遮断するサブスイッチ部（ＳＳｗ）を備える
ことを特徴とする上記［１］または［２］に記載の電源回路遮断装置（１）。
［４］  前記第２コネクタハウジング（２０）は、
回動可能に支持されたレバー（３０）を備え、
前記レバー（３０）が回動されることで、前記第１コネクタハウジング（１０）に対する嵌合力及び離脱力が付与される
ことを特徴とする上記［１］〜［３］のいずれか一つに記載の電源回路遮断装置。
【符号の説明】
【００６５】
１…電源回路遮断装置
１０…第１コネクタハウジング
１３…端子
１５…接触片
２０…第２コネクタハウジング
２７…遮蔽板部
３０…レバー
ＭＳｗ…メインスイッチ部（スイッチ部）
ＳＳｗ…サブスイッチ部
【図１】
2020167034.tif 000003
【図２】
2020167034.tif 000004
【図３】
2020167034.tif 000005
【図４】
2020167034.tif 000006
【図５】
2020167034.tif 000007
【図６】
2020167034.tif 000008
【図７】
2020167034.tif 000009
【図８】
2020167034.tif 000010
【図９】
2020167034.tif 000011